【事件の表示】
　特許第３３４７３２０号「薬剤包装装置」の請求項１に係る特許に対する特許異議の申立てについて、次のとおり決定する。
【結　論】
　訂正を認める。
　特許第３３４７３２０号の請求項１に係る特許を取り消す。
【理　由】
［１］手続の経緯
　本件特許第３３４７３２０号発明についての出願は、平成６年１０月２１日に出願された特願平６−２５６５４２号の一部を新たに分割した特願平１１−３５９５７号の一部を新たに分割した特願２００１−１８８６５号の一部を分割した特願２００１−３２２４２４号の一部をさらに新たに分割して、平成１４年４月１２日に出願したものであって、平成１４年９月６日にその発明について特許権の設定登録がされたものである。
　これに対して、平成１５年５月２０日付で村田元により請求項１に係る発明についての特許に対して特許異議申立てがなされた。
　そして、平成１７年５月２４日付で当審において取消理由が通知され、その指定期間である平成１７年８月２日付で意見書及び訂正請求書が提出されたものである。
　
［２］訂正請求について
１．訂正請求の内容
（１）特許請求の範囲の訂正
　ａ１．請求項１の「表示手段と」の後ろに、「を備え」を追加する。
　ａ２．請求項１の「前記処方に該当する」の前に、「前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機し、」を追加する。
　ａ３．請求項１の「前記処方に該当する」の後ろに、「錠剤を収容する」を追加する。
　ａ４．請求項２の「処方に該当する」の後ろに、「錠剤を収容する」を追加する。
　
（２）課題を解決するための手段の欄の訂正
　ｂ１．明細書段落０００５の「表示手段と」の後ろに、「を備え」を追加する。
　ｂ２．明細書段落０００５の「前記処方に該当する」の前に、「前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機し、」を追加する。
　ｂ３．明細書段落０００５の「前記処方に該当する」の後ろに、「錠剤を収容する」を追加する。
　ｂ４．明細書段落０００７の「処方に該当する」の後ろに、「錠剤を収容する」を追加する。
　
（３）発明の実施の形態の欄の訂正
　ｃ１．明細書段落０００９の「（１）第１実施例」を削除する。
　ｃ２．明細書段落００２７の「本実施例では」を削除する。
　ｃ３．明細書段落００３６の「第１実施例」を「例」と訂正する。
　ｃ４．明細書段落００３７の「第１実施例」を「例」と訂正する。
　ｃ５．明細書段落００３８の「（２）第２実施例」を削除する。
　ｃ６．明細書段落００３８の「実施例」を「例」と訂正する。
　ｃ７．明細書段落００３８の「第１実施例」を「図７の例」と訂正する。
　ｃ８．明細書段落００３９の「（３）第３実施例」を削除する。
　ｃ９．明細書段落００３９の「図１２は、」の後に、「本発明の第１実施例を示し、」を追加する。
　ｃ１０．明細書段落００３９の「第１実施例」を「図７の例」と訂正する。
　ｃ１１．明細書段落００４０の「実施例」を「例」と訂正する。
　ｃ１２．明細書段落００４３の「（４）第４実施例」を削除する。
　ｃ１３．明細書段落００４３の「第１実施例」を「例」と訂正する
　ｃ１４．明細書段落００４７の「（５）第５実施例」を削除する。
　ｃ１５．明細書段落００４７の「実施例」を「例」と訂正する。
　ｃ１６．明細書段落００４８の「（６）第６実施例」を削除する。
　ｃ１７．明細書段落００４８の「図１７は、」の後に、「本発明の第２実施例を示し、」を追加する。
　ｃ１８．明細書段落００４８の「第４実施例」を「図１４の例」と訂正する。
　ｃ１９．明細書段落００４９の「実施例」を「例」と訂正する。
　ｃ２０．明細書段落００５１の「前記第５実施例と同様に」を削除する。
　ｃ２１．明細書段落００５２の「（７）」を削除する。
　ｃ２２．明細書段落００５２の「実施例」を「例」と訂正する。
　ｃ２３．明細書段落００５５の「（８）その他の実施例」を削除する。
　ｃ２４．明細書段落００５５の「実施例」を「例」と訂正する。
　ｃ２５．明細書段落００５６の「実施例」を「例」と訂正する。
　ｃ２６．明細書段落００５８の「実施例」を「例」と訂正する。
　ｃ２７．明細書段落００３８と段落００４７の「べきる」を「るべき」と訂正する。
　ｃ２８．明細書段落００５１の「表示部」を「記憶部」と訂正する。
　
（４）図面の簡単な説明の欄
　図面の簡単な説明の欄を、以下の通り訂正する。
　ｄ１．「の第１実施例」を削除する。
　ｄ２．「第１実施例の」を削除する。
　ｄ３．「第２実施例」を「他の例」と訂正する。
　ｄ４．「第３実施例」を「第１実施例」と訂正する。
　ｄ５．「第４実施例」を「さらに他の例」と訂正する。
　ｄ６．「第５実施例」を「さらに他の例」と訂正する。
　ｄ７．「第６実施例」を「第２実施例」と訂正する
　ｄ８．図１０の説明における「錠剤」を「散薬」に訂正する。
　
（５）図面の訂正
　ｅ．図面の図１３を請求書に添付の図１３のとおり訂正する。
　
２．訂正の可否
（１）訂正事項ａ１
　上記訂正事項ａ１は、訂正前の請求項１の記載が、「…識別手段と、…錠剤供給手段と、…装着場所記憶手段と、…表示手段と、錠剤を供給するようるこした」となっており、文章が完結しておらず、「と」で並列された要素がどのような関係にあるのかが不明りょうになっていたので、最後の要素の「表示手段と」の後ろに「を備え」を追加することで、請求項１にかかる薬剤包装装置が「と」で並列された要素を備えていることを明りょうにするものである。
　したがって、この訂正は、特許法第１２０条の４第２項ただし書き第３号に規定する明りょうでない記載の釈明を目的とするものであり、願書に添付した明細書又は図面に記載した事項の範囲内においてなされたものであり、実質上特許請求の範囲を拡張し又は変更するものでもない。
　
（２）訂正事項ａ２
　上記訂正事項ａ２は、出願当初の図面の図１３のステップ３０４，３０５，３０７の記載、出願当初の明細書の段落００４０目の「装着されていなければ…ステップ３０４で当該錠剤のカートリッジ番号を処方表示部６１に表示する。」との記載、段落００４１の「ステップ３０５で当該錠剤カートリッジ１１が装着されるまで待機し」との記載、図１８のステップ６０３〜ステップ６０５の記載、段落００４９の「装着されていなければステップ６０３で当該錠剤のカートリッジ番号を処方表示部６１に表示する。」との記載、及び段落００５１の「ＣＰＵ６６はステップ６０４で装着場所表示部６４に再度問い合わせ、装着されていなければ当該錠剤カートリッジ１１が装着されるまで待機し」との記載に基づくものである。
　すなわち、上記記載からすれば、表示手段（処方表示部６１）に錠剤（錠剤の錠剤カートリッジ番号）を表示した後、装着場所記憶手段（装着場所記憶部６４）に再度問い合わせし、処方に該当する錠剤を収容する錠剤容器（錠剤カートリッジ１１）が装着されていなければ、処方に該当する錠剤を収容する錠剤容器（錠剤カートリッジ１１）が錠剤供給手段に装着されるまで待機する（ステップ３０５，ステップ６０４）ことは、当業者に自明の事項である。
　したがって、上記訂正事項ａ２は、特許法第１２０条の４第２項ただし書き第１号に規定する特許請求の範囲の減縮を目的とするものであり、願書に添付した明細書又は図面に記載した事項の範囲内の訂正であり、実質上特許請求の範囲を拡張し又は変更するものでもない。
　
（３）訂正事項ａ３及びａ４
　上記訂正事項ａ３及びａ４は、本来処方に該当するものは錠剤であるところ、訂正前の請求項１、請求項２に「処方に該当する錠剤容器」とあり、処方に該当するものが錠剤容器となっていたため、処方に該当するものが錠剤であることを明りょうにするものである。
　したがって、これらの訂正は、特許法第１２０条の４第２項ただし書き第３号に規定する明りょうでない記載の釈明を目的とするものであって、上記訂正事項ａ３及びａ４は、処方に該当するものが何であるかを明りょうにするものであり、願書に添付した明細書又は図面に記載した事項の範囲内の訂正においてなされたものであり、実質上特許請求の範囲を拡張し又は変更するものでもない。
　
（４）訂正事項ｂ１〜ｂ４
　上記訂正事項ｂ１〜ｂ４は、上記訂正事項ａ１〜ａ４のとおり訂正する特許請求の範囲の記載と発明の詳細な説明の課題を解決するための手段の記載との整合をとるものである。
　したがって、これらの訂正は、特許法第１２０条の４第２項ただし書き第３号に規定する明りょうでない記載の釈明に相当するものであり、願書に添付した明細書又は図面に記載した事項の範囲内の訂正であり、実質上特許請求の範囲を拡張し又は変更するものでもない。
　
（５）訂正事項ｃ１〜ｃ２６
　上記訂正事項ｃ１〜ｃ２６は、本件発明の実施例でないものが発明の詳細な説明の発明の実施の形態の欄に記載されていたため、これらが発明の実施例でなく単なる例であることを明りょうにするものである。すなわち、本件発明は、錠剤（カートリッジ番号）の「表示を消去する」ことが一つの特徴であるところ、発明の実施の形態の第１実施例、第２実施例、第４実施例、第５実施例は錠剤（カートリッジ番号）を表示しないし消去もしないものであって本件発明の実施例でないことは明らかであるから、これらを実施例と称呼しないように訂正するものである。
　したがって、これらの訂正は、特許法第１２０条の４第２項ただし書き第３号に規定する明りょうでない記載の釈明に相当するものであり、願書に添付した明細書又は図面に記載した事項の範囲内の訂正であり、実質上特許請求の範囲を拡張し又は変更するものでもない。
　
（６）訂正事項ｃ２７
　上記訂正事項ｃ２７は、訂正前の「収納されべきる」が誤記により日本語になっていなかったため、これを正しく「収納されるべき」と訂正するものである。
　したがって、この訂正は、特許法第１２０条の４第２項ただし書き第２号に規定する誤記の訂正に相当するものであり、願書に添付した明細書又は図面に記載した事項の範囲内の訂正であり、実質上特許請求の範囲を拡張し又は変更するものでもない。
　
（７）訂正事項ｃ２８
　上記訂正事項ｃ２８は、訂正前の「装着場所表示部６４」が、段落００５０の「その装着場所が装着場所記憶部６４に登録される。」との記載から明らかなように、「装着場所記憶部６４」の誤りであったのを是正するものである。
　したがって、この訂正は、特許法第１２０条の４第２項ただし書き第２号に規定する誤記の訂正に相当するものであり、願書に添付した明細書又は図面に記載した事項の範囲内の訂正であり、実質上特許請求の範囲を拡張し又は変更するものでもない。
　
（８）訂正事項ｄ１〜ｄ７
　上記訂正事項ｄ１〜ｄ７は、上記訂正事項ｃ１〜ｃ２６のとおり訂正する発明の詳細な説明の発明の実施の形態の記載と図面の簡単な説明の記載との整合をとるものである。
　したがって、これらの訂正は、特許法第１２０条の４第２項ただし書き第３号に規定する明りょうでない記載の釈明に相当するものであり、願書に添付した明細書又は図面に記載した事項の範囲内の訂正であり、実質上特許請求の範囲を拡張し又は変更するものでもない。
　
（９）訂正事項ｄ８
　上記訂正事項ｄ８は、訂正前の図１０の説明の「錠剤処理動作のフローチャート」が、段落００３２の「図１０は、散薬処方に対するＣＰＵの動作を示す。」との記載から明らかなように、「散薬処理動作のフローチャート」の誤りであったのを是正するものである。
　したがって、この訂正は、特許法第１２０条の４第２項ただし書き第２号に規定する誤記の訂正に相当するものであり、願書に添付した明細書又は図面に記載した事項の範囲内の訂正であり、実質上特許請求の範囲を拡張し又は変更するものでもない。
　
（１０）訂正事項ｅ
　上記訂正事項ｅは、訂正前の明細書の段落００４１に「ステップ３０５で当該錠剤カートリッジ１１が装着されるまで待機し、装着されればステップ３０６で装着場所表示を消去する」と記載されているところ、訂正前の図面の図１３のステップ３０５の「装着されたか」の判断に対してＹＥＳであれば待機し、ＮＯであればステップ３０６の「装着場所表示消去」の処理に移行しており、両者に矛盾があり、不明りょうになっていたのを、明りょうにするものである。
　したがって、この訂正は、特許法第１２０条の４第２項ただし書き第３号に規定する明りょうでない記載の釈明に相当するものであり、願書に添付した明細書又は図面に記載した事項の範囲内の訂正であり、実質上特許請求の範囲を拡張し又は変更するものでもない。
　
（１１）結論
　以上、（１）〜（１０）で検討したように、各訂正事項は、特許法第１２０条の４第２項及び第３項で準用する第１２６条第２項及び第３項の規定に適合するので、当該訂正を認める。
　
（１２）独立特許要件
　上記請求項１に係る訂正は、この請求項を引用する、特許異議の申立てがされていない請求項２を実質的に訂正するものであり、特許請求の範囲の減縮及び明りょうでない記載の釈明を目的としたものに該当するから、訂正明細書の請求項２に係る発明の独立特許要件について検討する。
　本件請求項２に係る発明は、訂正明細書の請求項２に記載されるとおりのものであって、「薬剤毎に、処方に該当する錠剤を収容する錠剤容器の装着場所と、跳ね易さ転がり易さの属性とを考慮して設定される包装速度で包装するようにしたこと」をその構成の一部としている。
　そして、取消理由通知に引用した、特開昭６０−８２１３０号公報（甲第１号証）は、当該構成を開示または示唆するものではない。
　また、上記構成を公知または周知とする客観的な証拠はなく、請求項２に係る発明は、上記構成を有することにより、明細書に記載される効果を奏するものであるから、当該構成を設計上の事項とすることはできない。
　したがって、請求項２に係る発明は、取消理由に引用された上記甲第１号証に記載された発明に基いて当業者が容易に発明できたものとすることができない。
　そして、他に、訂正明細書の請求項２に係る発明は、その出願の際独立して特許を受けることができないとする理由を発見しない。
　
［３］特許異議申立てについて
１．申立ての理由の概要
　申立人村田元は、以下の理由により特許を取り消すべき旨主張している。
（１）請求項１の「錠剤容器に設けられた識別手段と、」、「前記錠剤容器が装着されて錠剤を供給する錠剤供給手段と、」、「該錠剤供給手段に装着された錠剤容器の前記識別手段を読み取る読取手段と、」、「前記錠剤容器の装着場所を記憶する装着場所記憶手段と、」、「処方に該当する錠剤を収容する錠剤容器が装着されていなければ当該錠剤を表示する表示手段と、」という記載は、それぞれ「と、」で終わっている一方、これらの構成要件に対応する述語が存在しないため、発明が不明確である（以下、指摘１という。）。また、請求項１の「錠剤を表示する」という記載は、どのような意味であるのか不明である（以下、指摘２という。）。したがって、請求項１の記載は、特許法第３６条第５項第２号及び第６項（異議申立書に「特許法第３６条第６項第２号」と記載されているが、明らかな誤りであるので、前述のように認定した。）に規定する要件を満たしていない。
　
（２）請求項１に係る発明は、甲第１号証（特開昭６０−８２１３０号公報）に記載の発明に基いて、当業者が容易に発明をすることができたものであり、特許法第２９条第２項の規定により特許を受けることができないものである。
　
２．判断
（１）特許法第３６条第５項第２号及び第６項について
　上記［２］に示したように上記訂正は認められるから、本件請求項１及び２の記載は次のとおりのものと認める。
【請求項１】
　錠剤容器に設けられた識別手段と、
　前記錠剤容器が装着されて錠剤を供給する錠剤供給手段と、
　該錠剤供給手段に装着された錠剤容器の前記識別手段を読み取る読取手段と、
　前記錠剤容器の装着場所を記憶する装着場所記憶手段と、
　処方に該当する錠剤を収容する錠剤容器が装着されていなければ当該錠剤容器を表示する表示手段とを備え、
　前記表示手段に錠剤を表示した後、前記装着場所記憶手段に再度問い合わせをし、前記処方に該当する錠剤を収容する錠剤容器が装着されていなければ、前記処方に該当する錠剤を収容する錠剤容器が前記錠剤供給手段に装着されるまで待機し、前記処方に該当する錠剤を収容する錠剤容器がオペレータによって前記錠剤供給手段に装着されると、前記読取手段によって前記識別手段を読み取り、その装着場所を前記装着場所記憶手段に新たに記憶するとともに、前記表示手段の表示を消去して、当該錠剤供給手段から錠剤を供給するようにしたことを特徴とする薬剤包装装置。　
　
【請求項２】
　薬剤毎に、処方に該当する錠剤を収容する錠剤容器の装着場所と、跳ね易さ転がり易さの属性とを考慮して設定される包装速度で包装するようにしたことを特徴とする請求項１に記載の薬剤包装装置。
　ここで、請求項１は上記のとおりに訂正されたので、申立人の主張のうち指摘１は解消している。指摘２については、「錠剤を表示する」とは、処方に該当する錠剤を収容する錠剤容器が装着されていないときに、この表示を見たユーザが該当する錠剤の錠剤容器を持って来ることができるように錠剤を識別して表示することを意味していることは明らかである。
　したがって、特許請求の範囲請求項１の記載は、特許法第３６条第５項第２号及び第６項に規定する要件を満たしている。
　
（２）特許法第２９条第２項について
　上述したように上記訂正は認められ、特許請求の範囲請求項１の記載は、特許法第３６条第５項第２号及び第６項の規定する要件を満たしているので、請求項１に係る発明（以下、訂正発明という。）は、上記請求項１の記載により特定されるとおりのものと認める。
　
（２−１）甲第１号証：特開昭６０−８２１３０号公報（以下、刊行物１という。）
　刊行物１には、次の記載がある。
（イ）「多数の錠剤フィーダと、供給すべき錠剤に関する情報を入力する手段と、任意の前記錠剤フィーダを設置可能で、かつ作動時に、設置された錠剤フィーダから錠剤を排出させる多数の排出部材とを具えた錠剤供給装置において、前記各排出部材にそれに設置された錠剤フィーダを識別する手段を設け、前記入力手段による錠剤情報と前記各識別手段による識別情報とを照合して、供給すべき錠剤情報に対応した排出部材を作動させるようにしたことを特徴とする錠剤供給装置。」（特許請求の範囲第１項）
（ロ）「前記各識別手段は、前記各錠剤フィーダにその識別情報をあらわす配列にしたがって配設された所要個数の被検出体をセンサが検出するようになっている」（特許請求の範囲第２項）
（ハ）「錠剤フィーダ(1)(1)…から排出された錠剤は・・・包装装置(6)の図示しない連続した袋状薬包紙に投入されて分包されるようになっている」（第２頁右下欄第１０〜１４行）
（ニ）「排出部材(3)にその錠剤を収容した錠剤フィーダ(1)を設置すると、当該排出部材(3)の識別器(7)によって検出」（第３頁右上欄第１０〜１３行）
（ホ）「品名メモリ(17)に当該品名とともに登録されている識別コードが読出されて配置メモリ(14)に転送され、これと同一の識別コードに対応した排出部材(3)が作動」（第３頁左下欄第８〜１１行）
（ヘ）「排出部材(3)(3)…に設置されている錠剤フィーダ(1)(1)…の各識別コードは、適宜の配置メモリ(14)に排出部材(3)(3)…の各配置に対応して記憶される」（第３頁左上欄第１４〜１６行）、「錠剤フィーダ(1)(1)…の設置場所に変更があっても、入力操作によって指示された錠剤が間違いなく排出される」（第３頁左下欄第１５〜１７行）
（ト）「表示器(22)に錠剤の品名等が表示された場合には、調剤オペレータがＬＥＤ(23)の点滅している排出部材(3)に設置された錠剤フィーダ(1)を取外し、これに代えて、表示器(22)に表示されている錠剤が収容された錠剤フィーダ(1)を当該排出部材(3)に設置する」（第４頁左上欄第２〜７行）
（チ）「錠剤の排出が予定された錠剤フィーダ(1)が排出部材(3)(3)…のどれにも設置されていない場合、表示器(22)にその錠剤の品名等を表示するようにしたが、錠剤の品名とともにそれを収容した錠剤フィーダ(1)の番号・・・を表示してもよく」（第４頁右上欄第８〜１３行）
　
　ここで、（ヘ）には、排出部材に配置されている錠剤フィーダの各識別コードを排出部材の各配置に対応して配置メモリに記憶すること、及び、錠剤フィーダの設置場所を変更可能であることが記載されている。してみると、直接的な記載はなくとも、配置メモリの機能を考慮すれば、錠剤フィーダを新たな装着場所に装着した場合、装着場所を配置メモリに新たに記憶するものであることは自明のことである。
　
　したがって、上記（イ）〜（チ）によると、刊行物１には、
　錠剤フィーダに設けられた被検出体と、
　前記錠剤フィーダが装着されて錠剤を供給する排出部材と、
　該排出部材に装着された錠剤フィーダの前記被検出体を検出するセンサと、
　前記錠剤フィーダの装着場所を記憶する配置メモリと、
　処方に該当する錠剤を収容する錠剤フィーダが装着されていなければ当該錠剤を表示する表示器とを備え、
　前記処方に該当する錠剤を収容する錠剤フィーダが調剤オペレータによって前記排出部材に装着されると、前記センサによって前記被検出体を検出し、その装着場所を前記配置メモリに新たに記憶するとともに、当該排出部材から錠剤を供給する錠剤の包装装置。
の発明（以下、引用発明という。）が記載されているものと認める。
　
（２−２）対比・判断
　ここで、引用発明の「錠剤フィーダ」、「被検出体」、「排出部材」、「検出する」、「センサ」、「配置メモリ」、「表示器」、「調剤オペレータ」、「錠剤の包装装置」は、訂正発明の「錠剤容器」、「識別手段」、「錠剤供給手段」、「読み取る」、「読取手段」、「装着場所記憶手段」、「表示手段」、「オペレータ」、「薬剤包装装置」に相当する。
　
　したがって、訂正発明と引用発明とを比較すると、両者は、
　錠剤容器に設けられた識別手段と、
　前記錠剤容器が装着されて錠剤を供給する錠剤供給手段と、
　該錠剤供給手段に装着された錠剤容器の前記識別手段を読み取る読取手段と、
　前記錠剤容器の装着場所を記憶する装着場所記憶手段と、
　処方に該当する錠剤を収容する錠剤容器が装着されていなければ当該錠剤を表示する表示手段とを備え、
　前記処方に該当する錠剤を収容する錠剤容器がオペレータによって前記錠剤供給手段に装着されると、前記読取手段によって前記識別手段を検出し、その装着場所を前記装着場所記憶手段に新たに記憶し、当該錠剤供給手段から錠剤を供給する薬剤包装装置。
である点で一致し、次の点で相違する。
〈相違点１〉訂正発明が、「前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機」するという構成を有するものであるのに対し、引用発明は、当該事項について言及がない点。
〈相違点２〉訂正発明が、錠剤容器がオペレータによって錠剤供給手段に装着されると、「前記表示手段を消去して」という構成を有するものであるのに対し、引用発明は、当該事項について言及がない点。
　
　上記相違点１について検討する。引用発明においても、該当する錠剤を収容する錠剤容器が装着されなかった場合、包装ができないことは自明のことである。また、不正な状態を検出し、それが解消されるまで待機をすることは、機械分野における慣用手段である。そして、引用発明においては、錠剤供給手段に設置された錠剤容器の情報は装着場所記憶手段に記憶されるものであるから、それを利用して、「前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機」という構成となすことは、当業者であれば容易になし得たことである。
　次に上記相違点２について検討する。表示手段の表示を、その表示内容が不要になれば適宜消去することは、分野を問わず一般的に行われていることであり、上記引用発明の表示手段の表示についても、その表示内容を表示する必要がなくなったときに消去するようにすることは、表示手段の機能を考慮すれば必然的になし得たことであり、その「表示内容を表示する必要がなくなったとき」として、「装着場所を装着場所記憶手段に新たに記憶する」を選択することは、当業者であれば容易に選択し得たことである。そして、それにより、当業者の予測を超えるような効果を奏するものでもない。
　
　したがって、本件訂正発明は、刊行物１に記載の発明に基いて当業者が容易に発明をすることができたものであるから、特許法第２９条第２項の規定に違反してなされたものである。
　
［４］当審における取消理由通知について
（１）特許法第３６条第５項第２号及び第６項について
　上記［３］１．（１）における指摘１と同内容であり、上記［３］２．（１）で検討したように、本件請求項１における記載不備は解消している。したがって、本件請求項１を引用する本件請求項２についても記載不備は解消している。
　
（２）特許法第２９条第２項について
　上記［３］１．（２）と同内容であり、上記［３］２．（２）で検討したように、本件訂正発明は、刊行物１に記載の発明に基いて当業者が容易に発明をすることができたものであるから、特許法第２９条第２項の規定に違反してなされたものである。
　
［５］むすび
　以上のとおりであるから、本件請求項１に係る発明は、刊行物１に記載された発明に基いて当業者が容易に発明をすることができたものであるから、特許法第２９条第２項の規定に違反されてなされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年１１月１６日（２００５．１１．１６）
【訂正の要旨】
審決（決定）の【理由】欄参照。
（５４）【発明の名称】
薬剤包装装置
（５７）【特許請求の範囲】
　【請求項１】錠剤容器に設けられた識別手段と、
　前記錠剤容器が装着されて錠剤を供給する錠剤供給手段と、
　該錠剤供給手段に装着された錠剤容器の前記識別手段を読み取る読取手段と、
　前記錠剤容器の装着場所を記憶する装着場所記憶手段と、
　処方に該当する錠剤を収容する錠剤容器が装着されていなければ当該錠剤を表示する表示手段と
を備え
　
前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機し、
錠剤を収容する
　【請求項２】薬剤毎に、処方に該当する
錠剤を収容する
【発明の詳細な説明】
　【０００１】
　【発明の属する技術分野】
　本発明は薬剤包装装置に関するものである。
　【０００２】
　【従来の技術】
　従来、錠剤等の薬剤を収容した多数の薬剤カートリッジをそれぞれ薬剤フィーダに装着し、各薬剤フィーダから選択的に薬剤を供給して１分包づつ自動的に包装する薬剤包装装置が提供されている。
　【０００３】
　【発明が解決しようとする課題】
　この種の薬剤包装装置は、多数の薬剤フィーダが円筒形や引出し形に配置されて非常に大型である。このため、小さな病院の薬剤室や薬局に設置するには多き過ぎるうえ、薬剤カートリッジの抜き差しが困難である。
　また、各薬剤カートリッジはそれが装着される薬剤フィーダが予め定められている。したがって、例えば薬剤補充のために複数の薬剤カートリッジを取り出したときには、それらが間違った薬剤フィーダに装着されて処方と異なる薬剤が包装される恐れがある。
　さらに、従来の薬剤包装装置では、各薬剤フィーダで供給される薬剤の名称が予め登録されている。このため、ある薬剤フィーダに装着されている薬剤カートリッジを他の薬剤のものと交換する毎に、薬剤の名称を入力し直さなければならず、煩雑である。
　【０００４】
　本発明は、かかる問題点に鑑みてなされたもので、多数の錠剤容器のうち必要な複数の錠剤容器を装着できるようにして、コンパクトで取扱いが容易である薬剤包装装置を提供することを目的とする。
　【０００５】
　【課題を解決するための手段】
　前記目的を達成するため、本発明は、
　錠剤容器に設けられた識別手段と、
　前記錠剤容器が装着されて錠剤を供給する錠剤供給手段と、
　該錠剤供給手段に装着された錠剤容器の前記識別手段を読み取る読取手段と、
　前記錠剤容器の装着場所を記憶する装着場所記憶手段と、
　処方に該当する錠剤を収容する錠剤容器が装着されていなければ当該錠剤を表示する表示手段と
を備え
　
前記表示手段に錠剤を表示した後、前記装着場所記憶手段に再度問い合わせし、前記処方に該当する錠剤を収容する錠剤容器が装着されていなければ、前記処方に該当する錠剤を収容する錠剤容器が前記錠剤供給手段に装着されるまで待機し、
錠剤を収容する
　【０００６】
　この発明による錠剤供給装置では、錠剤供給手段に多数の錠剤容器のうち必要な錠剤容器を装着可能であるので、コンパクトで取扱いが容易になる。また、処方に該当する錠剤容器が装着されるまで待機し、装着されると当該錠剤容器から供給するので、直ちに錠剤の供給を行なうことができる。また、処方に該当する錠剤容器が装着されていなくても、表示された場所に当該錠剤容器を装着するだけでよくなる。
　【０００７】
　前記発明では、薬剤毎に、処方に該当する
錠剤を収容する
　【０００８】
（削除）
　【０００９】
　【発明の実施の形態】
　次に、本発明の実施例を添付図面に従って説明する。
　
　この薬剤包装装置は、錠剤収納棚１、散薬収納棚２、包装装置３、制御装置４から構成されている。
　【００１０】
　錠剤収納棚１には、多数の錠剤カートリッジ１１収納されている。
　各錠剤カートリッジ１１は、図２，図３に示すように、摺鉢状の底を備えた錠剤を収容するケース１２と、該ケース１２の底に回転自在に取り付けられ外周に複数の錠剤ポケット１３を有するロータ１４と、前記ケース１２を着脱可能に蓋する蓋体１５とからなっている。
　【００１１】
　また、この錠剤カートリッジ１１には、図２，図４に示すように、内部に収容された錠剤を識別する識別装置１６が設けられている。この識別装置１６は、反射板からなり、後述する読取装置１７，４０のそれぞれの発光素子１７ａ，４０ａからの光を反射する部分と反射しない部分（図４において○で示す）を設けることによって、錠剤を識別化するようになっている。
　【００１２】
　錠剤収納棚１の各収納場所には、図２（Ａ）に示すように、読取装置１７が埋設されるとともに、表示ランプ１８が正面から視認可能に取り付けられている。
　前記読取装置１７は、本発明の読取手段を構成するものであり、発光素子１７ａと受光素子１７ｂを一体にした複数のユニットからなっている。そして、図７に示すように、前記錠剤カートリッジ１１が収納場所に載置されたときに、発光素子１７ａから放射した光を錠剤カートリッジ１１の識別装置１６の反射板で反射させて受光素子１７ｂで受光することにより、錠剤データを読み取るようになっている。
　前記表示ランプ１８は、本発明の収納場所表示手段を構成するものである。
　【００１３】
　散薬収納棚２には、多数の散薬瓶２１が載置収納されている。
　各散薬瓶２１の底には、図５に示すように、台座２２が取り付けられている。台座２２の下面に形成された凹部２２ａには、電池２３と、該電池２３を電源とする発信器２４と、前記電池２３から発信器２４への電源ラインを断続するスイッチ２５とからなる散薬識別装置２６が組み込まれている。凹部２２ａは蓋体２２ｂによって蓋されている。
　前記スイッチ２５は、散薬瓶２１が棚から取り出されて傾くとオンし、棚に戻されるとオフするようになっている。前記発信器２４は、当該散薬瓶２１に収容された散薬の名称をコード化された識別信号として出力するものである。
　【００１４】
　前記散薬収納棚２の各棚の収納場所には、図８に示すように、受信器２７が埋設されるとともに、表示ランプ２８が正面から視認可能に取り付けられている（図１参照）。受信器２７は、本発明の読取手段を構成するものであり、前記散薬瓶２１が収納場所に載置されたときに散薬瓶２１の識別装置２６の発信器２４より識別コードを受信して散薬データを読み取るようになっている。表示ランプ２８は、本発明の収納場所表示手段を構成するものである。
　また、散薬収納棚２のテーブルには、図１に示すように、散薬を調剤するための調剤容器Ｂや計量器Ｍが載置されるとともに、受信器２９が埋設されている。この受信器２９は、本発明の読取手段を構成している。
　【００１５】
　包装装置３は、図１，図６に示すように、錠剤処理機構３１と、散薬処理機構３２と、包装機構３３とからなっている。
　【００１６】
　錠剤処理機構３２は、複数の錠剤フィーダ３４と錠剤ホッパ３５とからなっている。
　錠剤フィーダ３４は、いわゆる円筒形のもので、回転軸ｏの回りに複数個環状に配置され、かつ、上下に複数段配置されて、当該回転軸ｏの回りに回転自在になっている。各錠剤フィーダ３４には、前記錠剤収納棚１に収納された錠剤カートリッジ１１が装着されるようになっている。この錠剤フィーダ３４には比較的少数設けられ、必要な錠剤カートリッジ１１しか装着できないようになっている。大部分の錠剤カートリッジ１１は前記錠剤収納棚１に収納されている。
　【００１７】
　各錠剤フィーダ３４には、図２（Ｂ）に示すように、錠剤カートリッジ１１が装着されたときに当該カートリッジ１１のロータ１４の軸とギヤ３６を介して連結される駆動モータ３７と、カートリッジ１１から排出される錠剤を中央通路３８に導くシュート３９とが設けられている。
　【００１８】
　また、各錠剤フィーダ３４には、カートリッジ１１の識別装置１６と対応する位置に配置されて当該識別装置１６より錠剤データを読み取る読取装置４０と、表示ランプ４１とが設けられている。前記読取装置４０は、本発明の読取手段であり、図２（Ａ）に示す前記錠剤収納棚１の読取装置１７と同一の構成である。すなわち、前記錠剤カートリッジ１１が錠剤フィーダ３４に装着されたときに錠剤カートリッジ１１の識別装置１６の反射板に光を送る発光素子４０ａと、当該反射板で反射した光を受ける受光素子４０ｂとを一体化した複数のユニットからなっている。表示ランプ４１は、本発明の装着場所表示手段を構成するものである。
　【００１９】
　錠剤ホッパ３５は、図６に示すように、前記錠剤フィーダ３４から供給される錠剤を後述する包装機構３３の包装ホッパ５５に導くようになっている。
　【００２０】
　散薬処理機構３２は、図６に示すように、２つの散薬ホッパ４２ａ，４２ｂと、外周に環状溝からなる分配皿４３を備えた２つの分配盤４４ａ，４４ｂと、分割機４５とから構成されている。
　【００２１】
　各散薬ホッパ４２ａ，４２ｂは、投入された散薬を分配盤４４ａ，４４ｂの分配皿４３上に均等に供給するために上下方向に振動するシュート４６を備えている。また、散薬ホッパ４２ａ，４２ｂおよびそれらのシュート４６は、いずれかの分配盤４４ａ，４４ｂの分配皿４３に散薬を供給することができるように、上下方向に昇降可能になっている。さらに、各散薬ホッパ４２ａ，４２ｂには、それぞれの空き状況を検出する検出器４７ａ，４７ｂと、散薬を投入可能なホッパを表示する表示ランプ４８ａ，４８ｂとが設けられている。
　【００２２】
　２つの分配盤４４ａ，４４ｂは、上下重ねて配置され、それぞれ回転軸ａ，ｂの回りに独立して回転可能であり、またそれらの軸ａ，ｂの中間に設けた共通の旋回軸ｃの回りに旋回可能であり、さらに上下方向に一体に昇降可能になっている。これにより、散薬ホッパ４２ａ，４２ｂから供給される散薬が分配皿４３に分配されるように分配皿４３の一端が散薬ホッパ４２ａ，４２ｂの下方に位置する分配位置と、分配皿４３上の散薬が分割機４５によって定量ずつ分割して掻き出されるように分割機４５下方に位置する分割位置とに移動するようになっている。
　【００２３】
　分割機４５は、前記分配盤４４ａ，４４ｂの分配皿４３の曲面に一致する径を有する円板４９の前面に掻出し板５０を設け、該円板４９が前記分配皿３６に嵌入する位置とそこから退避する位置とに移動するようにアーム５１によって起伏可能にするとともに、該円板４９を回転駆動可能にしたものである。
　【００２４】
　包装機構３３は、図６に示すように、ロール５２に巻回された包装紙５３を３角板５４を介して長手方向に２つ折りし、該２つ折り部分に前記錠剤処理機構３１又は前記散薬処理機構３２から包装ホッパ５５を介して供給される錠剤及び／又は散薬を１包分ずつ投入した後、ヒートシール装置５６によって当該２つ折り部分以外の３辺を溶着して包装して、外部に排出するものである。なお、前記包装ホッパ５５の上方開口部には、前記散薬処理機構３２の分割機４５から排出される散薬および前記錠剤処理機構３１から排出される錠剤をそれぞれ一時的に受け止めるドア５７ａ，５７ｂが設けられている。
　【００２５】
　制御装置４は、図７，図８に示すように、処方表示部６１及び操作キー６２と、収納場所記憶部６３と、装着場所記憶部６４と、適正装着場所記憶部６５と、中央演算処理部（ＣＰＵ）６６とからなっている。
　【００２６】
　処方表示部６１は、ホストコンピュータ６７から入力される処方箋に従って処方データを表示するものである。
　操作キー６２は、前記処方表示部６１に表示された包装順序をオペレータ自らの判断で変更するためのものである。
　【００２７】
　収納場所記憶部６３は、前記錠剤収納棚１（図７参照）における錠剤カートリッジ１１の収納場所と、前記散薬収納棚２（図８参照）における散薬瓶２１の収納場所とを記憶しておくものである。
　装着場所記憶部６４は、前記各錠剤カートリッジ１１がいずれの錠剤フィーダ３４に装着されているかを記憶しておくものである。
　適正装着場所記憶部６５は、錠剤には落下した時の撥ね易さや、斜面の滑り易さ、転がり易さ等の属性が存在するので、装着位置から包装位置に到達するまでの時間が異なり、包装速度に影響を与える。そこで
、各
　【００２８】
　中央演算処理部（ＣＰＵ）６６は、錠剤カートリッジ１１や散薬瓶２１の収納場所、装着場所を管理するとともに、前記処方表示部６１に表示された処方データの包装順序にしたがって錠剤処理機構３１、散薬処理機構３２および包装機構３３を駆動する。
　【００２９】
　以下、このＣＰＵ６６の動作を図に示すフローチャートに従って説明する。
　図９は、錠剤処方に対するＣＰＵ６６の動作を示す。
　ステップ１０１では処方情報を読み込み、ステップ１０２で装着場所記憶部６４に当該処方に対応する錠剤カートリッジ１１の装着場所を問い合わせることによって当該錠剤カートリッジ１１がいずれかの錠剤フィーダ３４に装着されているか否かを判断する。装着されていなければ、ステップ１０３で収納場所記憶部６３に問い合わせして当該錠剤カートリッジ１１の収納場所を探査し、ステップ１０４で発見した収納場所の表示ランプ１８を点灯することによって当該錠剤カートリッジ１１の収納場所を表示するとともに、ステップ１０５で錠剤フィーダ３４の表示ランプ４１を点灯することにより当該錠剤処方に適した装着場所を表示する。
　【００３０】
　ここで、オペレータ（調剤士）が錠剤収納棚１から表示された場所の錠剤カートリッジ１１を取り出して表示された場所の錠剤フィーダ３４に装着すると、錠剤フィーダ３４の読取装置４０によって錠剤カートリッジ１１の識別装置１６の錠剤データが読み取られ、該錠剤データとその装着場所が装着場所記憶部６４に登録される。
　【００３１】
　ステップ１０６では、装着場所記憶部６４に再度問い合わせることによって該当する錠剤が装着されたかどうかを判断し、装着されていなければ装着されるまで待機する。装着されていれば、ステップ１０７で収納場所表示を消去し、ステップ１０８で装着場所表示を消去して、ステップ１０９で包装を行う。
　なお、前記ステップ１０２で処方に該当する錠剤が既に装着されているならば、表示を行わずに、ステップ１０９に移行して直ちに包装を行う。
　そして、ステップ１１０で次の処方情報があればステップ１０１に戻って以上のステップを繰り返し、なければ終了する。
　【００３２】
　図１０は、散薬処方に対するＣＰＵ６６の動作を示す。
　ステップ１１１で処方情報を読み込み、ステップ１１２で収納場所記憶部６３に問い合わせして当該散薬瓶２１の収納場所を探査し、ステップ１１３で発見された収納場所の表示ランプ２８を点灯することによって当該散薬瓶２１の収納場所を表示する。
　【００３３】
　オペレータが表示された棚の散薬瓶２１を取り出してテーブルの所定の位置に置くと、ＣＰＵ６６はステップ１１４で読取装置２９に当該散薬瓶２１の散薬データを読み取らせ、ステップ１１５で処方に該当する散薬かどうか検薬する。該当散薬でなければ、ステップ１１４に戻って正しい散薬瓶が取り出されるまで待機し、該当散薬であればステップ１１６で収納場所表示を消去する。
　【００３４】
　次に、ステップ１１７で検出器４７ａ，４７ｂからの信号に基づいてホッパに空きがあるかどうかを判断し、空きがなければ待機し、空きがあればステップ１１８でその空きホッパの表示ランプ４８ａ，４８ｂを点灯することによって空きホッパを表示する。
　この時点では、オペレータは計量器Ｍを使用して取り出した散薬の調剤を行い、これを調剤容器Ｂに入れて表示されたホッパに投入することができる。
　【００３５】
　ステップ１１９では、検出器４７ａ，４７ｂからの信号に基づいて散薬がホッパに投入されたか否かを判断し、投入されていなければ投入されるまで待機し、投入されていればステップ１２０でホッパ空き表示を消去する。
　次に、ステップ１２１で散薬処理機構３２を駆動して投入された散薬の分配を行い、ステップ１２２で分割機４５及び包装機構３３を駆動して包装を行う。
　そして、ステップ１１０で次の処方情報があればステップ１０１に戻って以上のステップを繰り返し、なければ終了する。
　【００３６】
　以上説明した
例
　【００３７】
　なお、前記
例
記例
　【００３８】
　
　この
例
図７の例
るべき
　この
例
　なお、散薬の収納場所も同様にして固定しておくことができる。
　【００３９】
　
本発明の第１実施例を示し、
図７の例
　【００４０】
　この
例
　【００４１】
　これにより、オペレータはその処方表示部６１に表示された番号の錠剤カートリッジ１１を錠剤収納棚１から探して取り出し、それを表示された装着場所の錠剤フィーダ３４に装着することができる。
　そこで、ＣＰＵ６６はステップ３０５で当該錠剤カートリッジ１１が装着されるまで待機し、装着されればステップ３０６で装着場所表示を消去するとともにステップ３０７でカートリッジ番号表示を消去して、ステップ３０８で包装を行う。
　【００４２】
　そして、ステップ３０９で次情報あればステップ３０１に戻って以上のステップを繰り返し、なければ終了する。
　なお、散薬瓶２１に対しても同様に、収納場所を自由にし、表示も管理も行わずに単に薬瓶番号を表示してオペレータが探すようにしてもよい。
　【００４３】
　
　各錠剤フィーダ３４に表示ランプがなく、適正装着場所記憶部の代わりに分包条件記憶部６８を設けた以外は、図７に示す
例
　【００４４】
　この装置のＣＰＵ６６の動作を図１５のフローチャートに従って説明すると、ステップ４０１で処方情報を読み込み、ステップ４０２で装着場所記憶部６４に問い合わせて該当する錠剤のカートリッジ１１が装着されているか否かを判断し、ステップ４０３で収納場所記憶部６３に問い合わせすることにより処方に該当する錠剤カートリッジ１１を探査し、ステップ４０４で発見された収納場所を表示ランプ１８に表示する。
　【００４５】
　そして、オペレータが表示された場所の錠剤カートリッジ１１を取り出して錠剤フィーダ３４の任意の場所に装着すると、その装着場所において錠剤カートリッジ１１の識別装置１６が読取装置４０によって読み取られ、その装着場所が装着場所記憶部６４に登録される。
　そこで、ＣＰＵ６６はステップ４０５で装着場所記憶部６４に再度問い合わせして、そこに該当錠剤カートリッジ１１の装着場所が登録されているかどうかによって該当カートリッジ１１が装着されたか否かを判断する。そして、装着されていなければ装着されるまで待機し、装着されていればステップ４０６で収納場所表示を消去する。
　【００４６】
　次に、ステップ４０７で、分包条件記憶部６８に問い合わせして当該錠剤カートリッジ１１に収容された錠剤の属性及び装着場所に応じて分包条件を選定する。ここでは、撥ね易い性質を有する錠剤の場合、装着場所が高いときは大きく撥ねて包装位置に達するまで時間がかかるので遅い分包速度を選定し、逆に装着場所が低いときは早い分包速度を選定する。
　そして、ステップ４０８で前記分包条件の下で包装を行い、ステップ４０９で次情報があれば以上のステップを繰り返し、なければ終了する。
　【００４７】
　
　この
例
るべき
　この
例
　【００４８】
　
本発明の第２実施例を示し、
図１４の
　【００４９】
　この
例
　【００５０】
　これにより、オペレータはその処方表示部６１に表示された番号の錠剤カートリッジ１１を錠剤収納棚１から探して取り出し、それを任意の錠剤フィーダ３４に装着することができる。これにより、その装着場所において錠剤カートリッジ１１の識別装置１６が読取装置４０によって読み取られ、その装着場所が装着場所記憶部６４に登録される。
　【００５１】
　そこで、ＣＰＵ６６はステップ６０４で装着場所
記憶部
で錠
　そして、ステップ６０８で次情報あればステップ６０１に戻って以上のステップを繰り返し、なければ終了する。
　【００５２】
錠剤カートリッジ又は散薬瓶の識別手段の具体例
　前記
例
　これ以外に、以下に示す識別手段を利用することができる。なお、ここで、錠剤収納棚１、錠剤フィーダ３４及び散薬収納棚２を固定側といい、これらに載置又は装着される錠剤カートリッジ１１及び散薬瓶２１を単に容器側という。
　【００５３】
　ａ．磁気センサ（ホール素子，リードリレー）＋磁石
　固定側に複数のホール素子又はリードリレー等の磁気センサを配列し、容器側の前記各ホール素子と対向する位置に磁石の有無を施して薬剤名称をコード化し、磁気センサの出力により２進データとして薬剤を識別する。
　ｂ．発光素子及び受光素子＋遮断板
　固定側に発光素子と該発光素子の光を検出する複数の受光素子とを配列し、容器側に前記発光素子から受光素子への光を遮断する遮断板の有無を施して薬剤名称をコード化し、受光素子の出力により２進データとして薬剤を識別しする。
　ｃ．マイクロスイッチ＋突起
　固定側に複数のマイクロスイッチを配列し、容器側の前記マイクロスイッチと対向する位置にマイクロスイッチをオンする突起の有無を施して薬剤名称をコード化し、マイクロスイッチの出力により２進データとして薬剤を識別する。
　【００５４】
　ｄ．バーコード読取器＋バーコード
　固定側にバーコード読取器を設け、容器側に薬剤名称に対応するバーコードを設けて、該バーコードをバーコード読取器によって読み取ることにより薬剤を識別する。
　ｅ．磁気読取ヘッド＋磁気記録媒体
　固定側に磁気読取ヘッドを設け、容器側に薬剤名称に対応する磁気情報が記録された磁気記録媒体を設けて、該磁気記録媒体の磁気情報を磁気読取ヘッドによって読み取ることにより薬剤を識別する。
　前記ｄ及びｅの場合、バーコードや磁気記録媒体には、薬剤名称だけでなく、落下条件等の情報を付加することができる。
　【００５５】
　
例
　【００５６】
　また、以上の
例
例
　【００５７】
　しかし、この場合、収納庫８５の収納台８６に表示ランプ８８を設けても、外部からは見ることができない。そこで、その収納台８６に収納される各錠剤カートリッジ８１の底面から上面まで光ファイバー８９を配設し、この光ファイバー８９を介して表示ランプ８８の光を錠剤カートリッジ８１の上面まで導くようにするのが好ましい。
　なお、このような円筒形の錠剤カートリッジ８１を格子配列した包装装置８０では、各錠剤のホッパ９０までの落下条件が同一であるが転がり条件が異なるので、それを加味して装着場所を固定するのが望ましい。
　【００５８】
　さらに、前記
例
　【００５９】
　【発明の効果】
　本発明によれば、以下の効果を奏する。
　比較的小数の薬剤容器しか装着されておらず、装置が小型化し、小さな病院の薬剤室や薬局でも使い易く設置することができる。
　表示された場所に薬剤容器を装着するだけでよく、装着場所に迷うことはないので、迅速容易に装着することができる。
【図面の簡単な説明】
　【図１】本発明の薬剤包装装
置を
　【図２】（Ａ）は錠剤カートリッジ及び錠剤収納棚の断面図、（Ｂ）は錠剤フィーダの断面図である。
　【図３】錠剤カートリッジ及び錠剤フィーダの斜視図である。
　【図４】錠剤カートリッジの底面図である。
　【図５】散薬瓶の部分断面図である。
　【図６】散薬処理機構、錠剤処理機構および包装機構の概略図である。
　【図７】錠剤処理動作のブロック図である。
　【図８】散薬処理動作のブロック図である。
　【図９】錠剤処理動作のフローチャートである。
　【図１０】
散薬
　【図１１】
他の例
　【図１２】
第１実施例
　【図１３】
第１実施例
　【図１４】
さらに他の例
　【図１５】
さらに他の例
　【図１６】
さらに他の例
　【図１７】
第２実施例
　【図１８】
第２実施例
　【図１９】引出し式錠剤フィーダの水平断面図である。
　【図２０】円筒形錠剤カートリッジを用いる包装装置とその収納庫の斜視図である。
　【符号の説明】
　１１…錠剤カートリッジ（錠剤容器）、１６…識別装置（識別手段）、３４…錠剤フィーダ（錠剤供給手段）、４０…読取装置（読取手段）、６４…装着場所記憶部、６６…中央演算処理部（判断手段）。
【図面】